(57)【要約】【課題】第１サイズの用紙に形成すべき画像を、第１サイズより大きい第２サイズの用紙に形成した場合、該用紙を第１サイズに裁断するときの目安となる境界線と、前記画像とを、前記用紙に形成できる画像形成装置を提供する。【解決手段】画データ及び用紙サイズ情報を受信し、該用紙サイズ情報に対応するサイズの用紙の有無を用紙検出部１２ａで検出し、前記サイズの用紙がない場合、該サイズより大きいサイズの用紙を選択する。前記画データに、画データ編集部１３０で境界線のデータを付加して、記録部１２１で、前記画データに対応する画像と、該画像の周縁に位置する境界線とを、前記用紙に形成する。【選択図】　　　　図１
2004038499.tif 000002
【特許請求の範囲】
【請求項１】
画データ及び用紙サイズ情報を受け付ける手段と、入力された用紙サイズ情報に対応するサイズの用紙の有無を判定する手段と、該用紙がない場合、前記サイズより大きいサイズの用紙を選択する手段と、該用紙に、入力された画データに対応する画像、及び該画像の周縁又は外部に位置する境界線を形成する形成手段とを備えることを特徴とする画像形成装置。
【請求項２】
前記形成手段に、前記境界線で、又は前記境界線と前記用紙の端部とで、前記画像を囲むようにして、前記境界線を前記用紙サイズ情報に応じて形成させる手段を備えることを特徴とする請求項１に記載の画像形成装置。
【請求項３】
前記境界線を形成するか否かの指示を受け付ける手段と、入力された指示が、形成しないという指示であるときは、前記形成手段が前記境界線を形成することを禁止する手段とを備えることを特徴とする請求項１又は２に記載の画像形成装置。
【発明の詳細な説明】
【０００１】
【発明の属する技術分野】
本発明は、入力された用紙サイズ情報に対応するサイズの用紙がない場合、該サイズより大きいサイズの用紙に、入力された画データに対応する画像を形成する画像形成装置に関する。
【０００２】
【従来の技術】
画像形成装置は、１又は複数のサイズの用紙を収容している。プリンタ装置、又はファクシミリ装置等の画像形成装置へは、通信手段（通信ケーブル又は電話回線等）を介して、画データ及び用紙サイズ情報が入力される。また、コピー装置、又はコピー装置とファクシミリ装置との複合装置等の画像形成装置へは、スキャナ部から画データが入力され、操作部から用紙サイズ情報が入力される。
画像形成装置は、入力された用紙サイズ情報に対応する第１サイズ（例えばＡ４）の用紙を選択し、該用紙に、入力された画データを用いて画像を形成して該用紙を出力する。
第１サイズの用紙がない場合、画像形成装置は、第１サイズより大きい第２サイズ（例えばＢ４）の用紙を選択し、該用紙に画像（第１サイズの用紙に形成すべき画像）を形成して該用紙を出力する。このとき、ユーザは、前記画像が形成された第２サイズの用紙を、前記画像を含む第１サイズに裁断することがある。
【０００３】
【発明が解決しようとする課題】
しかしながら、第２サイズの用紙を第１サイズに裁断する場合、一般的な用紙には裁断の目安となるもの（例えば裁断線）がないため、正確に裁断し難いという問題があった。
特開平７−２２６８１９号公報に開示されているファクシミリ装置は、第２サイズの用紙の面積が、第１サイズの用紙の面積の２倍である場合（例えばＡ４の用紙に形成すべき画像をＡ３の用紙に形成する場合）、前記用紙の長辺方向の半分（以下、半紙分と言う）に画像を形成し、次いで、画像の最後に点線を形成したり、前記用紙を半分に裁断したりする手段を備える。しかしながら、該ファクシミリ装置は、第２サイズの用紙の面積が、第１サイズの用紙の面積の２倍でない場合（例えばＡ４の用紙に形成すべき画像をＢ４の用紙に形成する場合）には点線を形成したり裁断したりできないという問題があった。また、用紙を裁断する裁断手段を備える場合は、装置の構成が複雑になるという問題もあった。
【０００４】
本発明は斯かる問題を解決するためになされたものであり、入力された用紙サイズ情報に対応するサイズの用紙がない場合、該サイズより大きいサイズの用紙に、入力された画データを用いてなる画像と、境界線とを形成することにより、前記用紙を適切なサイズに裁断するための裁断の目安を前記用紙に設けられる画像形成装置を提供することを目的とする。
【０００５】
【課題を解決するための手段】
第１発明に係る画像形成装置は、画データ及び用紙サイズ情報を受け付ける手段と、入力された用紙サイズ情報に対応するサイズの用紙の有無を判定する手段と、該用紙がない場合、前記サイズより大きいサイズの用紙を選択する手段と、該用紙に、入力された画データに対応する画像、及び該画像の周縁又は外部に位置する境界線を形成する形成手段とを備えることを特徴とする。
第１発明にあっては、画データ及び用紙サイズ情報が入力された場合、入力された用紙サイズ情報に対応するサイズの用紙の有無を判定し、該用紙がある場合は、入力された画データを用いて、前記用紙に画像を形成する。前記サイズの用紙がない場合は、該サイズより大きいサイズの用紙を選択し、前記画データを用いて、前記用紙に画像を形成する。このとき、該画像の周縁又は外部に、境界線を形成する。形成された境界線によって、画像と、該画像以外の部分とを区別することができるため、前記用紙に裁断の目安を設けることができる。
【０００６】
第２発明に係る画像形成装置は、前記形成手段に、前記境界線で、又は前記境界線と前記用紙の端部とで、前記画像を囲むようにして、前記境界線を前記用紙サイズ情報に応じて形成させる手段を備えることを特徴とする。
第２発明にあっては、境界線を、該境界線で画像を囲むようにして形成した場合、形成された境界線によって、画像と、該画像以外の部分とを区別することができる。
また、境界線を、該境界線と用紙の端部とで画像を囲むようにして形成した場合、用紙の端部と形成された境界線とによって、画像と、該画像以外の部分とを区別することができる。このとき、境界線のみで画像を囲む場合よりも、形成すべき境界線の長さ又は本数等を低減させることができる。
【０００７】
更に、入力された用紙サイズ情報に応じて境界線を形成する。この場合、境界線に囲まれた範囲、又は境界線と用紙の端部とに囲まれた範囲が、前記用紙サイズ情報に対応するサイズの用紙と同形状同面積になるよう境界線を形成する。このため、境界線を形成することによって、前記用紙サイズ情報に対応するサイズより大きいサイズの用紙を、前記用紙サイズ情報に対応するサイズに裁断するための裁断の目安を設けることができる。
【０００８】
第３発明に係る画像形成装置は、前記境界線を形成するか否かの指示を受け付ける手段と、入力された指示が、形成しないという指示であるときは、前記形成手段が前記境界線を形成することを禁止する手段とを備えることを特徴とする。
第３発明にあっては、境界線を形成するか否かの指示を受け付ける手段から境界線を形成するという指示が入力された場合は画像と境界線とを形成し、形成しないという指示が入力された場合は画像のみを形成して境界線を形成しないため、裁断の目安が不要な場合に境界線を設けてしまうことを防止できる。
【０００９】
【発明の実施の形態】
以下、本発明をその実施の形態を示す図面に基づいて詳述する。
本実施の形態では、画像形成装置としてファクシミリ装置を例示する。該ファクシミリ装置は、ＩＴＵ（国際電気通信連合）−Ｔ勧告Ｔ．３０の標準通信規格の手順に従い電話回線を介して画データを送受信するが、ＳＭＴＰ又はＰＯＰによるファクシミリ通信の手順に従い、インターネットを介して電子メール形式の画データを送受信しても良い。
また、本実施の形態では、境界線として点線を形成する場合を例示する。
【００１０】
図１は、本発明に係るファクシミリ装置１のブロック図である。
制御部１００はファクシミリ装置１の主制御部であり、ＭＰＵを用いてなり、バスを介してＲＯＭ１０１及びＲＡＭ１０２等の装置各部に接続されている。制御部１００は、ＲＯＭ１０１に格納された制御プログラムに従って装置各部を制御し、このとき発生するデータ、又は外部から入力されるデータをＲＡＭ１０２に一時記憶して、各種処理を実行する。
ファクシミリ装置１はタイマ１０３を備え、該タイマ１０３は、時刻を計時したり、制御部１００に制御されて所要の時点からの経過時間を計時したりする。
表示部１０９は、制御部１００に制御されて、装置の動作状態又はユーザに対する入力指示等を表示し、操作部１１０は、表示部１０９を見ながらユーザが数字又は記号等を入力するテンキー、送信開始指示を入力するスタートキー、及び各種ファンクションキー等を有する。
【００１１】
プリンタ部１２０は、ドラム状の感光体及び転写チャージャ等で構成される記録部１２１を備え、制御部１００に制御されて、記録部１２１へ供給された用紙に、画像及び境界線、又は画像のみを形成する。また、プリンタ部１２０は、記録部１２１へ用紙を供給すべく、Ａ４サイズ、Ｂ４サイズ、及びＡ３サイズの用紙を夫々収容するためのトレイを有するＡ４用紙供給部１２２、Ｂ４用紙供給部１２３、及びＡ３用紙供給部１２４を備える。Ａ４用紙供給部１２２、Ｂ４用紙供給部１２３、及びＡ３用紙供給部１２４は、各々が備えるトレイに用紙が収容してあるか否か（即ち用紙の有無）を検出する用紙検出部１２ａを夫々備える。
画データ編集部１３０は、用紙に画像と境界線とを形成する場合、画像を形成するための画データ（第１画データ）に、境界線を形成するためのデータを付加して、新たな画データ（第２画データ）となす手段を備える。
【００１２】
ＮＣＵ（ネットワーク・コントロール・ユニット）１０４は電話回線２に接続してあり、電話回線２には、通信相手のファクシミリ装置（図示せず）が接続してある。制御部１００は、ＮＣＵ１０４を用いて回線制御を行ない、モデム１０５を用いて電話回線２を介した画データの送受信処理を行なう。
操作部１１０のスタートキーが操作されて画像送信指示を入力された場合、制御部１００は、ファクシミリ装置１にセットされた原稿の画像をスキャナ部１０８で読み取って画データを生成し、生成した画データをＣＯＤＥＣ（符号化・復号器）１０６で符号化して画像メモリ１０７に記憶させる。次いで、記憶させた画データを、モデム１０５及びＮＣＵ１０４を用いて、通信相手のファクシミリ装置へ送信する。
【００１３】
電話回線２を介してモデム１０５及びＮＣＵ１０４で、画データと、該画データを用いてなる画像を形成すべき用紙のサイズを指定する用紙サイズ情報とを受信した場合、制御部１００は、受信した画データをＣＯＤＥＣ１０６で復号して、第１画データとして画像メモリ１０７に記憶させる。また、受信した用紙サイズ情報に対応するサイズの用紙がトレイに収容されているか否かを判定する。
【００１４】
用紙サイズ情報に対応するサイズの用紙が収容されているか否かを判定する場合、例えば用紙サイズ情報が「Ａ４」であるとき、Ａ４用紙供給部１２２の用紙検出部１２ａが用紙を検出したか否かを判定する。該用紙検出部１２ａが用紙を検出したときは、前記用紙（この場合、Ａ４サイズの用紙）が収容されていると判定する。前記用紙検出部１２ａが用紙を検出しなかったときは、前記用紙が収容されていないと判定して、次に、前記サイズより大きいサイズの用紙が収容されているか否かを判定する。この場合、Ａ４サイズより大きいＢ４サイズの用紙が収容されているか否かを判定すべく、Ｂ４用紙供給部１２３の用紙検出部１２ａが用紙を検出したか否かを判定する。該用紙検出部１２ａが用紙を検出したときは、前記用紙（この場合、Ｂ４サイズの用紙）が収容されていると判定し、記録用紙サイズ情報（この場合、「Ｂ４」）を生成する。
【００１５】
用紙サイズ情報に対応するサイズの用紙が収容されていないと判定した場合、制御部１００は、表示部１０９に、用紙サイズ情報に対応するサイズの用紙が収容されていないことを警告する表示、及び、該サイズより大きいサイズの用紙に画像を形成するときに、境界線を形成するか否かの指示を、操作部１１０を用いて入力するよう指示する表示等を行なわせる。このとき、制御部１００は、タイマ１０３を用いて経過時間を計時し、所定の経過時間内に、境界線を形成しないという指示が入力された場合は、用紙に画像のみを形成して境界線を形成しないと判定し、前記経過時間内に、境界線を形成するという指示が入力された場合、又は、前記経過時間内に境界線を形成するか否かの指示が入力されなかった場合は、用紙に画像と境界線とを形成すると判定する。
【００１６】
用紙に画像と境界線とを形成する場合は、前記第１画データを画データ編集部１３０へ入力し、境界線のデータを付加してなる第２画データを生成し、該第２画データをプリンタ部１２０へ入力して、例えばＢ４サイズの用紙に、画像（Ａ４サイズの用紙に形成すべき画像）とＡ４サイズの境界線とを形成する。
用紙に画像のみを形成して境界線を形成しない場合は、前記第１画データをプリンタ部１２０へ入力して、例えばＡ４サイズの用紙に、画像（Ａ４サイズの用紙に形成すべき画像）を形成する。
即ち、制御部１００は、操作部１１０から入力された指示が、境界線を形成しないという指示であるとき、第１画データを画データ編集部１３０へ入力しない（第２画データを生成しない）ことによって、プリンタ部１２０が境界線を形成することを禁止する。
【００１７】
図２は、画データ編集部１３０のブロック図である。
画データ編集部１３０は、入力された信号の個数を計数して該個数を出力するラインカウンタ１３１と画素カウンタ１３２とを備える。
第１画データを画データ編集部１３０へ入力し、第１画データに境界線のデータを付加してなる第２画データを生成する場合、制御部１００は、タイマ１０３を用いてタイミングを合わせて、第１画データの各ラインのデータ毎に、１個の水平同期信号ＨＳＹＮＣと複数の転送クロックＶＣＬＫとを発生させ、水平同期信号ＨＳＹＮＣをラインカウンタ１３１へ入力させ、転送クロックＶＣＬＫを画素カウンタ１３２へ入力させる。ラインカウンタ１３１は水平同期信号ＨＳＹＮＣの個数を計数することによってライン数を計数し、画素カウンタ１３２は転送クロックＶＣＬＫの個数を計数することによって１ライン毎の画素数を計数する。
【００１８】
制御部１００は、計数されたライン数が、所定の最大ライン数に達するまで水平同期信号ＨＳＹＮＣをラインカウンタ１３１へ入力させ、一の水平同期信号ＨＳＹＮＣを発生させた時点から次の水平同期信号ＨＳＹＮＣを発生させるまでの間に、計数された画素数が所定の最大画素数に達するまで転送クロックＶＣＬＫを画素カウンタ１３２へ入力させることを繰り返す。
【００１９】
また、画データ編集部１３０は、計数されたライン数及び画素数のデータと、用紙サイズ情報と記録用紙サイズ情報とを入力される演算器１３３を備える。演算器１３３は、記録用紙サイズ情報に対応するサイズの用紙の端部と、用紙サイズ情報に応じた位置に配置された境界線とで、第１画データを用いてなる画像を囲むよう該画像と前記境界線とを形成すべく、用紙サイズ情報と記録用紙サイズ情報との組み合わせに応じた所定のライン数及び画素数を記憶している。また、演算器１３３は、計数されたライン数及び画素数のデータが所定のライン数及び画素数に達した場合に、境界線のデータに対応する信号を出力する。
更に、画データ編集部１３０は、境界線のデータに対応する信号及び／又は第１画データに対応する信号を順次入力されて、第２画データに対応する信号を出力するＯＲ回路１３４を備える。このため、第２画データは、境界線のデータと第１画データとを重ね合わせたような画データとなる。
【００２０】
図３は、画データ編集部１３０にて入出力される各信号のタイミングチャートであり、図４は、ファクシミリ装置１が用紙Ｐに形成した画像Ｄと境界線Ｌ１，Ｌ２との一例である。
水平同期信号ＨＳＹＮＣがラインカウンタ１３１へ入力された場合、計数されたライン数が所定のライン数に達したとき、前記水平同期信号ＨＳＹＮＣが発生した時点から次の水平同期信号ＨＳＹＮＣが発生するまでの間に、転送クロックＶＣＬＫが画素カウンタ１３２へ入力される。このとき、計数された画素数が所定の画素数に達するまで、第１画データに対応する信号がＯＲ回路１３４から出力される。計数された画素数が所定の画素数に達した場合、第１画データに対応する信号はＯＲ回路１３４に入力されず、境界線のデータに対応する信号が入力されるため、該信号がＯＲ回路１３４から出力される（図３（ａ））。
【００２１】
計数されたライン数が所定のライン数に達していないとき、計数された画素数が所定の画素数に達するまで、第１画データに対応する信号がＯＲ回路１３４から出力される。計数された画素数が所定の画素数に達した場合は、第１画データに対応する信号及び境界線のデータに対応する信号がＯＲ回路１３４へ入力されないため、ＯＲ回路１３４からの出力はない（図３（ｂ））。
以上のような処理を繰り返すことによって、Ｂ４サイズの用紙Ｐに、Ａ４サイズの用紙に形成すべき画像Ｄが形成され、また、副走査方向に、主走査方向のＡ４サイズの位置に点線（境界線Ｌ１）が形成される。
【００２２】
計数されたライン数が、前記所定のライン数とは異なる所定のライン数に達したとき、計数された画素数が所定の画素数に達した場合、ＯＲ回路１３４へ境界線のデータに対応する信号が入力されるため、該信号がＯＲ回路１３４から出力される。計数された画素数が所定の画素数に達していない場合、第１画データに対応する信号及び境界線のデータに対応する信号がＯＲ回路１３４へ入力されないため、ＯＲ回路１３４からの出力はない（図３（ｃ））。
以上のような処理を繰り返すことによって、副走査方向のＡ４サイズの位置に点線（境界線Ｌ２）が形成される。
【００２３】
図５及び図６は、ファクシミリ装置１の画像形成手順を示すフローチャートである。以下では、画データと用紙サイズ情報「Ａ４」とを受信した場合を例示する。
制御部１００は、モデム１０５及びＮＣＵ１０４で、画データと用紙サイズ情報「Ａ４」とを受信した場合（Ｓ１１）、受信した画データをＣＯＤＥＣ１０６で復号し、第１画データとして画像メモリ１０７に記憶する（Ｓ１２）。また、Ａ４用紙供給部１２２の用紙検出部１２ａを用いてＡ４サイズの用紙が収容されているか否かを検出し（Ｓ１３）、このときの検出結果を用いてＡ４サイズの用紙があるか否かを判定する（Ｓ１４）。前記用紙検出部１２ａが用紙を検出した場合、Ａ４サイズの用紙があると判定し（Ｓ１４でＹＥＳ）、Ａ４用紙供給部１２２に、収容してある用紙を記録部１２１へ供給させて、画像メモリ１０７から第１画データを読み出す。
最後に、読み出した第１画データを用いてＡ４サイズの用紙に画像を形成して（Ｓ１５）、該用紙を出力し、画像形成手順を終了する。
【００２４】
前記用紙検出部１２ａが用紙を検出しなかった場合、Ａ４サイズの用紙がないと判定し（Ｓ１４でＮＯ）、Ｂ４用紙供給部１２３の用紙検出部１２ａを用いてＢ４サイズの用紙が収容されているか否かを検出し（Ｓ１６）、このときの検出結果を用いてＢ４サイズの用紙があるか否かを判定する（Ｓ１７）。
前記用紙検出部１２ａが用紙を検出しなかった場合、Ｂ４サイズの用紙がないと判定し（Ｓ１７でＮＯ）、Ａ３用紙供給部１２４の用紙検出部１２ａを用いてＡ３サイズの用紙が収容されているか否かを検出し（Ｓ１８）、このときの検出結果を用いてＡ３サイズの用紙があるか否かを判定する（Ｓ１９）。
前記用紙検出部１２ａが用紙を検出しなかった場合、Ａ３サイズの用紙がないと判定し（Ｓ１９でＮＯ）、用紙切れであることを表示部１０９に表示して、画像メモリ１０７に第１画データを記憶させたまま、画像形成手順を終了する。この場合、用紙が補充されたときに、Ｓ１３へ処理を移して画像形成手順を行なっても良い。
【００２５】
Ｂ４用紙供給部１２３の用紙検出部１２ａが用紙を検出した場合、Ｂ４サイズの用紙があると判定し（Ｓ１７でＹＥＳ）、記録用紙サイズ情報「Ｂ４」を生成する（Ｓ２０）。Ｓ１７でＮＯの場合、Ａ３用紙供給部１２４の用紙検出部１２ａが用紙を検出したとき、Ａ３サイズの用紙があると判定し（Ｓ１９でＹＥＳ）、Ｓ２０に相当するステップで記録用紙サイズ情報「Ａ３」を生成する。以下では、Ｓ１７にてＢ４サイズの用紙があると判定し、Ｓ２０にて記録用紙サイズ情報「Ｂ４」を生成した場合について例示する。
【００２６】
次に、制御部１００は、表示部１０９に、ユーザに対して、Ａ４サイズの用紙が収容されていないことを警告する表示、及び、Ｂ４サイズの用紙に、境界線有りで画像を形成するか、境界線なしで画像を形成するか、操作部１１０を用いて入力するよう指示する表示等を行なわせ、境界線を形成するか否かの指示を受け付ける（Ｓ２１）。制御部１００は、この時点からタイマ１０３を用いて経過時間の計時を開始し（Ｓ２２）、次に、所定の時間が経過したか否かを判定する（Ｓ２３）。所定の時間が経過していない場合（Ｓ２３でＮＯ）、操作部１１０から境界線を形成するか否かの指示が入力されたか否かを判定し（Ｓ２４）、該指示が入力されていない場合は（Ｓ２４で入力されていない）、処理をＳ２３へ戻す。
【００２７】
操作部１１０から境界線なし（境界線を形成しない）という指示が入力された場合は（Ｓ２４で形成しない）、用紙に画像のみを形成して境界線を形成しないと判定し、Ｂ４用紙供給部１２３に、収容してある用紙を記録部１２１へ供給させて、画像メモリ１０７から第１画データを読み出す。
最後に、読み出した第１画データを用いてＢ４サイズの用紙に画像を形成して（Ｓ２５）、該用紙を出力し、画像形成手順を終了する。
【００２８】
操作部１１０から境界線有り（境界線を形成する）という指示が入力された場合（Ｓ２４で形成する）、又はタイマ１０３で所定の時間が経過した場合（Ｓ２３でＹＥＳ）、用紙に画像と境界線とを形成すると判定し、画像メモリ１０７から第１画データを読み出す。
最後に、読み出した第１画データを画データ編集部１３０へ入力して第２画データを生成し（Ｓ２６）、生成した第２画データを用いてＢ４サイズの用紙に画像と境界線とを形成して（Ｓ２７）、該用紙を出力し、画像形成手順を終了する。
【００２９】
以上のようなファクシミリ装置１は、Ａ４サイズの用紙がある場合、Ａ４サイズの用紙に形成すべき画像を、前記用紙に形成することができる。また、Ａ４サイズの用紙がない場合、Ａ４サイズの用紙に形成すべき画像とＡ４サイズの境界線とを、Ｂ４サイズの用紙に形成することができる。このため、前記境界線を、ユーザがＢ４サイズの用紙をＡ４サイズに裁断するときの目安とすることができる。更に、Ａ４サイズの用紙がない場合であって境界線が必要でないときは、Ａ４サイズの用紙に形成すべき画像のみを、Ｂ４サイズの用紙に形成することができ、不要な境界線を形成してしまうことを防止できる。
【００３０】
なお、ファクシミリ装置１は、Ａ４サイズ、Ｂ４サイズ、及びＡ３サイズの用紙のみを収容している。この場合、収容されている用紙（Ａ４サイズ、Ｂ４サイズ、及びＡ３サイズの用紙）の用紙サイズ情報を第１用紙サイズ情報としてＲＡＭ１０２に記憶させておき、収容されてない用紙（例えばＡ５サイズ又はＢ５サイズの用紙）の用紙サイズ情報を第２用紙サイズ情報としてＲＡＭ１０２に記憶させておくよう構成しても良い。このとき、用紙サイズ情報が入力された場合、ＲＡＭを参照して、入力された用紙サイズ情報が第１用紙サイズ情報に一致したときは用紙検出部１２ａで用紙の有無を検出し、第２用紙サイズ情報に一致したときは用紙検出部１２ａで用紙の有無を検出することなく、入力された用紙サイズ情報に対応するサイズの用紙はないと判定するよう構成しても良い。また、該サイズより大きいサイズの用紙としてＡ４サイズ、Ｂ４サイズ、又はＡ３サイズの用紙を選択するよう構成しても良い。
【００３１】
また、収容されてない用紙（例えばＢ５サイズの用紙）の用紙サイズ情報が入力された場合は、該サイズ情報に対応するサイズとして適宜のサイズ（例えばＡ４）を用い、該サイズの用紙の有無を検出するよう構成しても良い。
また、例えば用紙サイズ情報としてＢ５サイズが入力され、画データとしてＡ５サイズ程度の情報量の画データが入力された場合、Ｂ５サイズの用紙がなく、Ａ４サイズの用紙を選択したとき、該用紙にＢ５サイズの境界線を形成するのではなく、Ａ５サイズの境界線を形成する構成としても良い。この場合、Ｂ５サイズの境界線を形成するか、Ａ５サイズの境界線を形成するか、ユーザに選択させる構成としても良い。また、Ａ５サイズの境界線を形成する場合であって、Ａ４サイズの用紙の半紙分に前記画データを用いて画像を形成するとき、境界線は、前記用紙の長辺方向の１／２の位置に１本だけ形成すれば良い。この場合、ユーザは、前記用紙の画像を形成していない半紙分を容易に有効活用することができる。
【００３２】
また、本実施の形態では図６のＳ２１でユーザから境界線を形成するか否かの指示を受け付けるよう構成してあるが、受信した用紙サイズ情報に対応するサイズの用紙がない場合は必ず境界線を形成するよう構成しても良く、画データと用紙サイズ情報とを受信する前に、予め、境界線を形成するか否かの指示を取得しておくよう構成しても良い。
【００３３】
更に、本実施の形態ではファクシミリ装置を例示したが、本発明の画像形成装置として、プリンタ装置、コピー装置、又は複合装置等を構成しても良い。
例えば、画像形成装置がプリンタ装置である場合、画データ、用紙サイズ情報、及び境界線を形成するか否かの指示等は、画像処理ソフトをインストールしてあるパーソナルコンピュータから、通信ケーブルを介して入力される。
画像形成装置がコピー装置である場合、画データは、該コピー装置にセットされた原稿を読み取って画データを生成するスキャナ部から入力され、境界線を形成するか否かの指示は、操作部から入力される。この場合、用紙サイズ情報は、操作部から入力された用紙サイズ情報であっても良く、スキャナ部にセットされた原稿を読み取った場合に該原稿の大きさを検出してなる用紙サイズ情報であっても良い。また、用紙サイズ情報は、予め記憶部に記憶させてあるデフォルトの用紙サイズ情報であっても良く、また、スキャナ部で生成した画データの情報量に基づいて決定した用紙サイズ情報であっても良い。
【００３４】
【発明の効果】
本発明の画像形成装置によれば、入力された用紙サイズ情報に対応するサイズより大きいサイズの用紙に画像と境界線とが形成され、ユーザが前記用紙を裁断する場合に、境界線を裁断の目安として用いることができるため、所要のサイズの用紙がない場合であっても、ユーザの利便性を向上することができる。
また、入力された用紙サイズ情報に応じて境界線が形成され、ユーザが前記用紙を前記用紙サイズ情報に対応するサイズに裁断する場合に、前記境界線を裁断の目安として用いることができるため、ユーザは、前記用紙を正確に裁断することができる。
更に、境界線が必要であるとユーザが判断した場合に境界線を形成し、必要でないと判断した場合に境界線を形成しないよう構成できるため、ユーザの利便性を更に向上することができる等、本発明は優れた効果を奏する。
【図面の簡単な説明】
【図１】本発明に係るファクシミリ装置のブロック図である。
【図２】本発明に係るファクシミリ装置が備える画データ編集部のブロック図である。
【図３】本発明に係るファクシミリ装置が備える画データ編集部にて入出力される各信号のタイミングチャートである。
【図４】本発明に係るファクシミリ装置が用紙に形成した画像と境界線との一例である。
【図５】本発明に係るファクシミリ装置の画像形成手順を示すフローチャートである。
【図６】本発明に係るファクシミリ装置の画像形成手順を示すフローチャートである。
【符号の説明】
１００　制御部
１０４　ＮＣＵ
１０５　モデム
１１０　操作部
１２１　記録部
１２２　Ａ４用紙供給部
１２３　Ｂ４用紙供給部
１２４　Ａ３用紙供給部
１２ａ　用紙検出部
１３０　画データ編集部
【図１】
2004038499.tif 000003
【図２】
2004038499.tif 000004
【図３】
2004038499.tif 000005
【図４】
2004038499.tif 000006
【図５】
2004038499.tif 000007
【図６】
2004038499.tif 000008